【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に送信されるべき拡張された物理ダウンリンク制御チャネル（ｅＰＤＣＣＨ）のための少なくとも１つの仮想セル識別子（ＩＤ）を構成することと、各仮想セルＩＤは、サービングセルの物理セルＩＤとは別個に構成され、前記ｅＰＤＣＣＨは、前記ＵＥのために構成された複数のｅＰＤＣＣＨリソースセットのうちの少なくとも１つのｅＰＤＣＣＨリソースセットに関連付けられる、
第１の探索空間において前記ｅＰＤＣＣＨを復号しようと試みるために、前記ＵＥによって使用される複数のｅＰＤＣＣＨ復号候補から第１のｅＰＤＣＣＨ復号候補を決定することと、
前記第１のｅＰＤＣＣＨ復号候補のための第１の仮想セルＩＤを決定することと、前記第１の仮想セルＩＤは、前記ＵＥのために構成された前記複数のｅＰＤＣＣＨリソースセットのうちの前記少なくとも１つのｅＰＤＣＣＨリソースセットに関連付けられる、
前記第１の仮想セルＩＤに少なくとも部分的に基づくスクランブリングシーケンスを用いて、前記ｅＰＤＣＣＨをスクランブルすることと、
前記第１のｅＰＤＣＣＨ復号候補を使用して、前記ＵＥに、前記スクランブルされたｅＰＤＣＣＨを送信することと、
を備える、ワイヤレス通信の方法。
【請求項２】
前記ｅＰＤＣＣＨを他のチャネルと周波数分割多重化することをさらに備える、請求項１に記載の方法。
【請求項３】
前記構成することが、前記少なくとも１つの仮想セルＩＤを、物理ダウンリンク共有チャネル（ＰＤＳＣＨ）の少なくとも１つの仮想セルＩＤと同じになるように構成することを備える、請求項１に記載の方法。
【請求項４】
前記構成することが、前記少なくとも１つの仮想セルＩＤを、物理ダウンリンク共有チャネル（ＰＤＳＣＨ）の少なくとも１つの仮想セルＩＤとは別個に構成することを備える、請求項１に記載の方法。
【請求項５】
前記少なくとも１つの構成された仮想セルＩＤを、前記ＵＥにシグナリングすることをさらに備える、請求項１に記載の方法。
【請求項６】
前記第１の仮想セルＩＤを、送信された基準信号に関連付けることをさらに備える、請求項１に記載の方法。
【請求項７】
第２の探索空間において前記ｅＰＤＣＣＨを復号しようと試みるために、前記ＵＥのための第２のｅＰＤＣＣＨ復号候補を決定することと、
複数の仮想セルＩＤが前記ＵＥのために構成されるとき、前記第２のｅＰＤＣＣＨ復号候補ための第２の仮想セルＩＤを決定することと、
前記第２の仮想セルＩＤに少なくとも部分的に基づくスクランブリングシーケンスを用いて、前記ｅＰＤＣＣＨをスクランブルすることと、
前記第２のｅＰＤＣＣＨ復号候補を使用して、前記スクランブルされたｅＰＤＣＣＨを送信することと、
をさらに備える、請求項１に記載の方法。
【請求項８】
前記第１のｅＰＤＣＣＨ復号候補を、局所化されたｅＰＤＣＣＨ送信に関連付け、前記第２のｅＰＤＣＣＨ復号候補を、分散されたｅＰＤＣＣＨ送信に関連付けることをさらに備える、請求項７に記載の方法。
【請求項９】
前記第１のｅＰＤＣＣＨ復号候補を、第１のｅＰＤＣＣＨリソースセットに関連付け、前記第２のｅＰＤＣＣＨ復号候補を、第２のｅＰＤＣＣＨリソースセットに関連付けることをさらに備える、請求項７に記載の方法。
【請求項１０】
前記第１のｅＰＤＣＣＨ復号候補が第１のセルから送信され、前記第２のｅＰＤＣＣＨ復号候補が第２のセルから送信される、請求項７に記載の方法。
【請求項１１】
複数のｅＰＤＣＣＨリソースセットを構成すること、
をさらに備える、請求項１に記載の方法。
【請求項１２】
前記スクランブルされた第１のｅＰＤＣＣＨが複数のセルから送信される、請求項１に記載の方法。
【請求項１３】
第１の探索空間において拡張された物理ダウンリンク制御チャネル（ｅＰＤＣＣＨ）を復号しようと試みるために、ｅＰＤＣＣＨ復号候補の第１のセットをユーザ機器（ＵＥ）において決定することと、前記ｅＰＤＣＣＨは、前記ＵＥのために構成された複数のｅＰＤＣＣＨリソースセットのうちの少なくとも１つのｅＰＤＣＣＨリソースセットに関連付けられる、
ｅＰＤＣＣＨ復号候補の前記第１のセットのための第１の仮想セル識別子（ＩＤ）を前記ＵＥにおいて決定することと、前記第１の仮想セルＩＤは、サービングセルの物理セルＩＤとは別個に構成され、前記第１の仮想セルＩＤは、前記ＵＥのために構成された前記複数のｅＰＤＣＣＨリソースセットのうちの前記少なくとも１つのｅＰＤＣＣＨリソースセットに関連付けられる、
前記第１の仮想セルＩＤとｅＰＤＣＣＨ復号候補の前記決定された第１のセットとに少なくとも部分的に基づいて、前記ｅＰＤＣＣＨを前記ＵＥにおいて復号することと、
を備える、ワイヤレス通信の方法。
【請求項１４】
前記ｅＰＤＣＣＨが、前記第１の仮想セルＩＤに少なくとも部分的に基づいてスクランブルされる、請求項１３に記載の方法。
【請求項１５】
前記第１の仮想セルＩＤが、物理ダウンリンク共有チャネル（ＰＤＳＣＨ）の少なくとも１つの仮想セルＩＤと同じである、請求項１３に記載の方法。
【請求項１６】
前記第１の仮想セルＩＤが、物理ダウンリンク共有チャネル（ＰＤＳＣＨ）の少なくとも１つの仮想セルＩＤとは異なる、請求項１３に記載の方法。
【請求項１７】
第２の探索空間において前記ｅＰＤＣＣＨを復号しようと試みるために、ｅＰＤＣＣＨ復号候補の第２のセットを決定することと、
復号候補の前記第２のセットのための第２の仮想セルＩＤを決定することと、
前記第２の仮想セルＩＤとｅＰＤＣＣＨ復号候補の前記決定された第２のセットとに少なくとも部分的に基づいて、前記ｅＰＤＣＣＨを復号することと、
をさらに備える、請求項１３に記載の方法。
【請求項１８】
ｅＰＤＣＣＨ復号候補の前記第１のセットの前記ｅＰＤＣＣＨが局所化されたｅＰＤＣＣＨ送信であり、ｅＰＤＣＣＨ復号候補の前記第２のセットの前記ｅＰＤＣＣＨが分散されたｅＰＤＣＣＨ送信である、請求項１７に記載の方法。
【請求項１９】
ｅＰＤＣＣＨ復号候補の前記第１のセットの前記ｅＰＤＣＣＨが第１のセルから受信され、ｅＰＤＣＣＨ復号候補の前記第２のセットの前記ｅＰＤＣＣＨが第２セルから受信される、請求項１７に記載の方法。
【請求項２０】
前記ｅＰＤＣＣＨが前記第１の仮想セルＩＤによってスクランブルされる、請求項１３に記載の方法。
【請求項２１】
ｅＰＤＣＣＨ復号候補の前記第１のセットを、第１のｅＰＤＣＣＨリソースセットに関連付け、ｅＰＤＣＣＨ復号候補の前記第２のセットを、第２のｅＰＤＣＣＨリソースセットに関連付けること、
をさらに備える、請求項１７に記載の方法。
【請求項２２】
前記ｅＰＤＣＣＨが複数のセルから受信される、請求項１３に記載の方法。
【請求項２３】
複数のｅＰＤＣＣＨリソースセットの構成を受信すること、
をさらに備える、請求項１３に記載の方法。
【請求項２４】
少なくとも１つの構成された仮想セルＩＤを受信することと、
前記受信された少なくとも１つの構成された仮想セルＩＤに少なくとも部分的に基づいて、前記第１の仮想セルＩＤを決定することと、
をさらに備える、請求項１３に記載の方法。
【請求項２５】
ユーザ機器（ＵＥ）に送信されるべき拡張された物理ダウンリンク制御チャネル（ｅＰＤＣＣＨ）のための少なくとも１つの仮想セル識別子（ＩＤ）を構成するための手段と、各仮想セルＩＤは、サービングセルの物理セルＩＤとは別個に構成され、前記ｅＰＤＣＣＨは、前記ＵＥのために構成された複数のｅＰＤＣＣＨリソースセットのうちの少なくとも１つのｅＰＤＣＣＨリソースセットに関連付けられる、
第１の探索空間において前記ｅＰＤＣＣＨを復号しようと試みるために、前記ＵＥによって使用される複数のｅＰＤＣＣＨ復号候補から第１のｅＰＤＣＣＨ復号候補を決定するための手段と、
前記第１のｅＰＤＣＣＨ復号候補のための第１の仮想セルＩＤを決定するための手段と、前記第１の仮想セルＩＤは、前記ＵＥのために構成された前記複数のｅＰＤＣＣＨリソースセットのうちの前記少なくとも１つのｅＰＤＣＣＨリソースセットに関連付けられる、
前記第１の仮想セルＩＤに少なくとも部分的に基づくスクランブリングシーケンスを用いて、前記ｅＰＤＣＣＨをスクランブルするための手段と、
前記第１のｅＰＤＣＣＨ復号候補を使用して、前記ＵＥに、前記スクランブルされたｅＰＤＣＣＨを送信するための手段と、
を備える、ワイヤレス通信のための装置。
【請求項２６】
第１の探索空間において拡張された物理ダウンリンク制御チャネル（ｅＰＤＣＣＨ）を復号しようと試みるために、ｅＰＤＣＣＨ復号候補の第１のセットをユーザ機器（ＵＥ）において決定するための手段と、前記ｅＰＤＣＣＨは、前記ＵＥのために構成された複数のｅＰＤＣＣＨリソースセットのうちの少なくとも１つのｅＰＤＣＣＨリソースセットに関連付けられる、
ｅＰＤＣＣＨ復号候補の前記第１のセットのための第１の仮想セル識別子（ＩＤ）を前記ＵＥにおいて決定するための手段と、前記第１の仮想セルＩＤは、サービングセルの物理セルＩＤとは別個に構成され、前記第１の仮想セルＩＤは、前記ＵＥのために構成された前記複数のｅＰＤＣＣＨリソースセットのうちの前記少なくとも１つのｅＰＤＣＣＨリソースセットに関連付けられる、
前記第１の仮想セルＩＤと復号候補の前記決定された第１のセットとに少なくとも部分的に基づいて、前記ｅＰＤＣＣＨを復号するための手段と、
を備える、ワイヤレス通信のための装置。
【請求項２７】
ワイヤレス通信のためのコンピュータプログラム製品であって、前記コンピュータプログラム製品が、
プログラムコードを記録した非一時的コンピュータ可読媒体を備え、前記プログラムコードが、
ユーザ機器（ＵＥ）に送信されるべき拡張された物理ダウンリンク制御チャネル（ｅＰＤＣＣＨ）のための少なくとも１つの仮想セル識別子（ＩＤ）を構成するためのプログラムコードと、各仮想セルＩＤは、前記サービングセルの前記物理セルＩＤとは別個に構成され、前記ｅＰＤＣＣＨは、前記ＵＥのために構成された複数のｅＰＤＣＣＨリソースセットのうちの少なくとも１つのｅＰＤＣＣＨリソースセットに関連付けられる、
第１の探索空間において前記ｅＰＤＣＣＨを復号しようと試みるために、前記ＵＥによって使用される複数のｅＰＤＣＣＨ復号候補から第１のｅＰＤＣＣＨ復号候補を決定するためのプログラムコードと、
前記第１のｅＰＤＣＣＨ復号候補のための第１の仮想セルＩＤを決定するためのプログラムコードと、前記第１の仮想セルＩＤは、前記ＵＥのために構成された前記複数のｅＰＤＣＣＨリソースセットのうちの前記少なくとも１つのｅＰＤＣＣＨリソースセットに関連付けられる、
前記第１の仮想セルＩＤに少なくとも部分的に基づくスクランブリングシーケンスを用いて、前記ｅＰＤＣＣＨをスクランブルするためのプログラムコードと、
前記第１のｅＰＤＣＣＨ復号候補を使用して、前記ＵＥに、前記スクランブルされたｅＰＤＣＣＨを送信するためのプログラムコードと、
を備える、コンピュータプログラム製品。
【請求項２８】
ワイヤレス通信のためのコンピュータプログラム製品であって、前記コンピュータプログラム製品が、
プログラムコードを記録した非一時的コンピュータ可読媒体を備え、前記プログラムコードが、
第１の探索空間において拡張された物理ダウンリンク制御チャネル（ｅＰＤＣＣＨ）を復号しようと試みるために、ｅＰＤＣＣＨ復号候補の第１のセットをユーザ機器（ＵＥ）において決定するためのプログラムコードと、前記ｅＰＤＣＣＨは、前記ＵＥのために構成された複数のｅＰＤＣＣＨリソースセットのうちの少なくとも１つのｅＰＤＣＣＨリソースセットに関連付けられる、
ｅＰＤＣＣＨ復号候補の前記第１のセットのための第１の仮想セル識別子（ＩＤ）を前記ＵＥにおいて決定するためのプログラムコードと、前記第１の仮想セルＩＤは、サービングセルの物理セルＩＤとは別個に構成され、前記第１の仮想セルＩＤは、前記ＵＥのために構成された前記複数のｅＰＤＣＣＨリソースセットのうちの前記少なくとも１つのｅＰＤＣＣＨリソースセットに関連付けられる、
前記第１の仮想セルＩＤとｅＰＤＣＣＨ復号候補の前記決定された第１のセットとに少なくとも部分的に基づいて、前記ｅＰＤＣＣＨを復号するためのプログラムコードと、
を備える、コンピュータプログラム製品。
【請求項２９】
メモリと、
前記メモリに結合された少なくとも１つのプロセッサと
を備える、ワイヤレス通信のための装置であって、前記少なくとも１つのプロセッサが、
ユーザ機器（ＵＥ）に送信されるべき拡張された物理ダウンリンク制御チャネル（ｅＰＤＣＣＨ）のための少なくとも１つの仮想セル識別子（ＩＤ）を構成することと、各仮想セルＩＤは、サービングセルの物理セルＩＤとは別個に構成され、前記ｅＰＤＣＣＨは、前記ＵＥのために構成された複数のｅＰＤＣＣＨリソースセットのうちの少なくとも１つのｅＰＤＣＣＨリソースセットに関連付けられる、
第１の探索空間において前記ｅＰＤＣＣＨを復号しようと試みるために、前記ＵＥによって使用される複数のｅＰＤＣＣＨ復号候補から第１のｅＰＤＣＣＨ復号候補を決定することと、
前記第１のｅＰＤＣＣＨ復号候補のための第１の仮想セルＩＤを決定することと、
前記第１の仮想セルＩＤに少なくとも部分的に基づくスクランブリングシーケンスを用いて、前記ｅＰＤＣＣＨをスクランブルすることと、前記第１の仮想セルＩＤは、前記ＵＥのために構成された前記複数のｅＰＤＣＣＨリソースセットのうちの前記少なくとも１つのｅＰＤＣＣＨリソースセットに関連付けられる、
前記第１のｅＰＤＣＣＨ復号候補を使用して、前記ＵＥに、前記スクランブルされたｅＰＤＣＣＨを送信することと、
を行うように構成された、装置。
【請求項３０】
前記少なくとも１つのプロセッサが、前記ｅＰＤＣＣＨを他のチャネルと周波数分割多重化するようにさらに構成された、請求項２９に記載の装置。
【請求項３１】
前記少なくとも１つのプロセッサが、前記少なくとも１つの仮想セルＩＤを、物理ダウンリンク共有チャネル（ＰＤＳＣＨ）の少なくとも１つの仮想セルＩＤと同じになるように構成するようにさらに構成された、請求項２９に記載の装置。
【請求項３２】
前記少なくとも１つのプロセッサが、前記少なくとも１つの仮想セルＩＤを、物理ダウンリンク共有チャネル（ＰＤＳＣＨ）の少なくとも１つの仮想セルＩＤとは別個に構成するようにさらに構成された、請求項２９に記載の装置。
【請求項３３】
前記少なくとも１つプロセッサが、前記少なくとも１つの構成された仮想セルＩＤを、前記ＵＥにシグナリングするようにさらに構成された、請求項２９に記載の装置。
【請求項３４】
前記少なくとも１つのプロセッサが、前記第１の仮想セルＩＤを、送信された基準信号に関連付けるようにさらに構成された、請求項２９に記載の装置。
【請求項３５】
前記少なくとも１つのプロセッサが、
第２の探索空間において前記ｅＰＤＣＣＨを復号しようと試みるために、前記ＵＥのための第２のｅＰＤＣＣＨ復号候補を決定することと、
複数の仮想セルＩＤが前記ＵＥのために構成されるとき、前記第２のｅＰＤＣＣＨ復号候補ための第２の仮想セルＩＤを決定することと、
前記第２の仮想セルＩＤに少なくとも部分的に基づくスクランブリングシーケンスを用いて、前記ｅＰＤＣＣＨをスクランブルすることと、
前記第２のｅＰＤＣＣＨ復号候補を使用して、前記スクランブルされたｅＰＤＣＣＨを送信することと、
を行うようにさらに構成された、請求項２９に記載の装置。
【請求項３６】
前記少なくとも１つのプロセッサが、
前記第１のｅＰＤＣＣＨ復号候補を局所化されたｅＰＤＣＣＨ送信に関連付けることと、
前記第２のｅＰＤＣＣＨ復号候補を分散されたｅＰＤＣＣＨ送信に関連付けることと、
を行うようにさらに構成された、請求項３５に記載の装置。
【請求項３７】
前記少なくとも１つのプロセッサが、
前記第１のｅＰＤＣＣＨ復号候補を、第１のｅＰＤＣＣＨリソースセットに関連付け、前記第２のｅＰＤＣＣＨ復号候補を、第２のｅＰＤＣＣＨリソースセットに関連付ける、
ようにさらに構成された、請求項３５に記載の装置。
【請求項３８】
前記第１のｅＰＤＣＣＨ復号候補が第１のセルから送信され、前記第２のｅＰＤＣＣＨ復号候補が第２のセルから送信される、請求項３５に記載の装置。
【請求項３９】
前記少なくとも１つのプロセッサが、
複数のｅＰＤＣＣＨリソースセットを構成すること、
を行うようにさらに構成された、請求項２９に記載の装置。
【請求項４０】
前記スクランブルされた第１のｅＰＤＣＣＨが複数のセルから送信される、請求項２９に記載の装置。
【請求項４１】
メモリと、
前記メモリに結合された少なくとも１つのプロセッサと
を備える、ワイヤレス通信のためのユーザ機器（ＵＥ）であって、前記少なくとも１つのプロセッサが、
第１の探索空間において拡張された物理ダウンリンク制御チャネル（ｅＰＤＣＣＨ）の復号を試みるために、ｅＰＤＣＣＨ復号候補の第１のセットを決定すること、前記ｅＰＤＣＣＨは、前記ＵＥのために構成された複数のｅＰＤＣＣＨリソースセットのうちの少なくとも１つのｅＰＤＣＣＨリソースセットに関連付けられる、
ｅＰＤＣＣＨ復号候補の前記第１のセットのための第１の仮想セル識別子（ＩＤ）を決定することと、前記第１の仮想セルＩＤは、サービングセルの物理セルＩＤとは別個に構成され、前記第１の仮想セルＩＤは、前記ＵＥのために構成された前記複数のｅＰＤＣＣＨリソースセットのうちの前記少なくとも１つのｅＰＤＣＣＨリソースセットに関連付けられる、
前記第１の仮想セルＩＤと復号候補の前記決定された第１のセットとに少なくとも部分的に基づいて、前記ｅＰＤＣＣＨを復号することと、
を行うように構成された、ＵＥ。
【請求項４２】
前記ｅＰＤＣＣＨが前記第１の仮想セルＩＤによってスクランブルされる、請求項４１に記載のＵＥ。
【請求項４３】
前記第１の仮想セルＩＤが、物理ダウンリンク共有チャネル（ＰＤＳＣＨ）の少なくとも１つの仮想セルＩＤと同じである、請求項４１に記載のＵＥ。
【請求項４４】
前記第１の仮想セルＩＤが、物理ダウンリンク共有チャネル（ＰＤＳＣＨ）の少なくとも１つの仮想セルＩＤとは異なる、請求項４１に記載のＵＥ。
【請求項４５】
前記少なくとも１つのプロセッサが、
第２の探索空間において前記ｅＰＤＣＣＨを復号しようと試みるために、ｅＰＤＣＣＨ復号候補の第２のセットを決定することと、
復号候補の前記第２のセットのための第２の仮想セルＩＤを決定することと、
前記第２の仮想セルＩＤと復号候補の前記決定された第２のセットとに少なくとも部分的に基づいて、前記ｅＰＤＣＣＨを復号することと、
を行うようにさらに構成された、請求項４１に記載のＵＥ。
【請求項４６】
ｅＰＤＣＣＨ復号候補の前記第１のセットの前記ｅＰＤＣＣＨが局所化されたｅＰＤＣＣＨ送信であり、ｅＰＤＣＣＨ復号候補の前記第２のセットの前記ｅＰＤＣＣＨが分散されたｅＰＤＣＣＨ送信である、請求項４５に記載のＵＥ。
【請求項４７】
ｅＰＤＣＣＨ復号候補の前記第１のセットの前記ｅＰＤＣＣＨが第１のセルから受信され、ｅＰＤＣＣＨ復号候補の前記第２のセットの前記ｅＰＤＣＣＨが第２セルから受信される、請求項４５に記載のＵＥ。
【請求項４８】
前記ｅＰＤＣＣＨが前記第２の仮想セルＩＤによってスクランブルされる、請求項４５に記載のＵＥ。
【請求項４９】
前記少なくとも１つのプロセッサが、ｅＰＤＣＣＨ復号候補の前記第１のセットを、第１のｅＰＤＣＣＨリソースセットに関連付け、ｅＰＤＣＣＨ復号候補の前記第２のセットを、第２のｅＰＤＣＣＨリソースセットに関連付けるようにさらに構成された、請求項４５に記載のＵＥ。
【請求項５０】
前記ｅＰＤＣＣＨが複数のセルから受信される、請求項４１に記載のＵＥ。
【請求項５１】
前記少なくとも１つのプロセッサが、
複数のｅＰＤＣＣＨリソースセットの構成を受信すること、
を行うようにさらに構成された、請求項４１に記載のＵＥ。
【請求項５２】
前記少なくとも１つのプロセッサが、
少なくとも１つの構成された仮想セルＩＤを受信することと、
前記受信された少なくとも１つの構成された仮想セルＩＤに少なくとも部分的に基づいて、前記第１の仮想セルＩＤを決定することと、
を行うようにさらに構成された、請求項４１に記載のＵＥ。
【手続補正２】
【補正対象書類名】明細書
【補正対象項目名】００７４
【補正方法】変更
【補正の内容】
【００７４】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
ユーザ機器（ＵＥ）のための少なくとも１つの仮想セル識別子（ＩＤ）を構成することと、
前記ＵＥのための拡張された物理ダウンリンク制御チャネル（ｅＰＤＣＣＨ）のための第１の候補を決定することと、
前記第１の候補のための第１の仮想セルＩＤを決定することと、
前記第１の仮想セルＩＤに基づいて、前記ｅＰＤＣＣＨをスクランブルすることと、
前記第１の候補を使用して、前記ＵＥに、前記スクランブルされたｅＰＤＣＣＨを送信することと、を備える、ワイヤレス通信の方法。
［Ｃ２］
前記ｅＰＤＣＣＨを他のチャネルと周波数分割多重化することをさらに備える、Ｃ１に記載の方法。
［Ｃ３］
前記構成することが、前記少なくとも１つの仮想セルＩＤを、物理ダウンリンク共有チャネル（ＰＤＳＣＨ）の少なくとも１つの仮想セルＩＤと同じになるように構成することを備える、Ｃ１に記載の方法。
［Ｃ４］
前記構成することが、前記少なくとも１つの仮想セルＩＤを、物理ダウンリンク共有チャネル（ＰＤＳＣＨ）の少なくとも１つの仮想セルＩＤとは別個に構成することを備える、Ｃ１に記載の方法。
［Ｃ５］
前記少なくとも１つの構成された仮想セルＩＤを、前記ＵＥにシグナリングすることをさらに備える、Ｃ１に記載の方法。
［Ｃ６］
前記第１の仮想セルＩＤを、送信された基準信号に関連付けることをさらに備える、Ｃ１に記載の方法。
［Ｃ７］
前記拡張された物理ダウンリンク制御チャネル（ｅＰＤＣＣＨ）のための第２の候補を決定することと、
前記少なくとも１つの仮想セルＩＤが複数の仮想セルＩＤであるとき、前記第２の候補のための前記少なくとも１つの構成された仮想セルＩＤから第２の仮想セルＩＤを決定することと、
前記第２の仮想セルＩＤに基づいて、前記拡張された物理ダウンリンク制御チャネル（ｅＰＤＣＣＨ）をスクランブルすることと、
前記第２の候補を使用して、前記スクランブルされたｅＰＤＣＣＨを送信することと、をさらに備える、Ｃ１に記載の方法。
［Ｃ８］
前記第１の候補を、局所化されたｅＰＤＣＣＨ送信に関連付け、前記第２の候補を、分散されたｅＰＤＣＣＨ送信に関連付けることをさらに備える、Ｃ７に記載の方法。
［Ｃ９］
前記第１の候補を、第１の構成されたｅＰＤＣＣＨリソースセットに関連付け、前記第２の候補を、第２の構成されたｅＰＤＣＣＨリソースセットに関連付けることをさらに備える、Ｃ７に記載の方法。
［Ｃ１０］
前記第１の候補が第１のセルから送信され、前記第２の候補が第２のセルから送信される、Ｃ７に記載の方法。
［Ｃ１１］
複数のｅＰＤＣＣＨリソースセットを構成することと、
仮想セルＩＤを、各ｅＰＤＣＣＨリソースセットに関連付けることとをさらに備える、Ｃ１に記載の方法。
［Ｃ１２］
前記スクランブルされた第１のｅＰＤＣＣＨが複数のセルから送信される、Ｃ１に記載の方法。
［Ｃ１３］
前記少なくとも１つの構成された仮想セルＩＤのうちの少なくとも１つが、前記ＵＥに関連付けられたセルの物理セルＩＤとは異なる、Ｃ１に記載の方法。
［Ｃ１４］
拡張された物理ダウンリンク制御チャネル（ｅＰＤＣＣＨ）のための復号候補の第１のセットを決定することと、
復号候補の前記第１のセットのための第１の仮想セル識別子（ＩＤ）を決定することと、
前記第１の仮想セルＩＤと復号候補の前記決定された第１のセットとに少なくとも部分的に基づいて、前記ｅＰＤＣＣＨを復号することと、を備える、ワイヤレス通信の方法。
［Ｃ１５］
前記ｅＰＤＣＣＨが、前記第１の仮想セルＩＤに少なくとも部分的に基づいてスクランブルされる、Ｃ１４に記載の方法。
［Ｃ１６］
前記第１の仮想セルＩＤが、物理ダウンリンク共有チャネル（ＰＤＳＣＨ）の少なくとも１つの仮想セルＩＤと同じである、Ｃ１４に記載の方法。
［Ｃ１７］
前記第１の仮想セルＩＤが、物理ダウンリンク共有チャネル（ＰＤＳＣＨ）の少なくとも１つの仮想セルＩＤとは異なる、Ｃ１４に記載の方法。
［Ｃ１８］
前記ｅＰＤＣＣＨのための復号候補の第２のセットを決定することと、
復号候補の前記第２のセットのための第２の仮想セルＩＤを決定することと、
前記第２の仮想セルＩＤと復号候補の前記決定された第２のセットとに少なくとも部分的に基づいて、前記ｅＰＤＣＣＨを復号することと、をさらに備える、Ｃ１４に記載の方法。
［Ｃ１９］
復号候補の前記第１のセットの前記ｅＰＤＣＣＨが局所化されたｅＰＤＣＣＨ送信であり、復号候補の前記第２のセットの前記ｅＰＤＣＣＨが分散されたｅＰＤＣＣＨ送信である、Ｃ１８に記載の方法。
［Ｃ２０］
候補の前記第１のセットの前記ｅＰＤＣＣＨが第１のセルから受信され、候補の前記第２のセットの前記ｅＰＤＣＣＨが第２セルから受信される、Ｃ１８に記載の方法。
［Ｃ２１］
前記ｅＰＤＣＣＨが前記第１の仮想セルＩＤによってスクランブルされる、Ｃ１４に記載の方法。
［Ｃ２２］
復号候補の前記第１のセットを、第１の構成されたｅＰＤＣＣＨリソースセットに関連付け、復号候補の前記第２のセットを、第２の構成されたｅＰＤＣＣＨリソースセットに関連付けること、をさらに備える、Ｃ１８に記載の方法。
［Ｃ２３］
前記ｅＰＤＣＣＨが複数のセルから受信される、Ｃ１４に記載の方法。
［Ｃ２４］
複数のｅＰＤＣＣＨリソースセットの構成を受信することと、
仮想セルＩＤを、各ｅＰＤＣＣＨリソースセットに関連付けることと、をさらに備える、Ｃ１４に記載の方法。
［Ｃ２５］
少なくとも１つの構成された仮想セルＩＤを受信することと、
前記受信された少なくとも１つの構成された仮想セルＩＤに少なくとも部分的に基づいて、前記第１の仮想セルＩＤを決定することと、をさらに備える、Ｃ１４に記載の方法。
［Ｃ２６］
前記（１つまたは複数の）構成された仮想セルＩＤのうちの少なくとも１つが、ユーザ機器（ＵＥ）に関連付けられたセルの物理セルＩＤとは異なる、Ｃ２５に記載の方法。
［Ｃ２７］
ユーザ機器（ＵＥ）のための少なくとも１つの仮想セル識別子（ＩＤ）を構成するための手段と、
前記ＵＥのための拡張された物理ダウンリンク制御チャネル（ｅＰＤＣＣＨ）のための第１の候補を決定するための手段と、
前記第１の候補のための第１の仮想セルＩＤを決定するための手段と、
前記第１の仮想セルＩＤに基づいて、前記ｅＰＤＣＣＨをスクランブルするための手段と、
前記第１の候補を使用して、前記ＵＥに、前記スクランブルされたｅＰＤＣＣＨを送信するための手段と、を備える、ワイヤレス通信のための装置。
［Ｃ２８］
拡張された物理ダウンリンク制御チャネル（ｅＰＤＣＣＨ）のための復号候補の第１のセットを決定するための手段と、
復号候補の前記第１のセットのための第１の仮想セル識別子（ＩＤ）を決定するための手段と、
前記第１の仮想セルＩＤと復号候補の前記決定された第１のセットとに少なくとも部分的に基づいて、前記ｅＰＤＣＣＨを復号するための手段と、を備える、ワイヤレス通信のための装置。
［Ｃ２９］
ワイヤレス通信のためのコンピュータプログラム製品であって、前記コンピュータプログラム製品が、
プログラムコードを記録した非一時的コンピュータ可読媒体を備え、前記プログラムコードが、
ユーザ機器（ＵＥ）のための少なくとも１つの仮想セル識別子（ＩＤ）を構成するためのプログラムコードと、
前記ＵＥのための拡張された物理ダウンリンク制御チャネル（ｅＰＤＣＣＨ）のための第１の候補を決定するためのプログラムコードと、
前記第１の候補のための第１の仮想セルＩＤを決定するためのプログラムコードと、
前記第１の仮想セルＩＤに基づいて、前記ｅＰＤＣＣＨをスクランブルするためのプログラムコードと、
前記第１の候補を使用して、前記ＵＥに、前記スクランブルされたｅＰＤＣＣＨを送信するためのプログラムコードと、を備える、コンピュータプログラム製品。
［Ｃ３０］
ワイヤレス通信のためのコンピュータプログラム製品であって、前記コンピュータプログラム製品が、
プログラムコードを記録した非一時的コンピュータ可読媒体を備え、前記プログラムコードが、
拡張された物理ダウンリンク制御チャネル（ｅＰＤＣＣＨ）のための復号候補の第１のセットを決定するためのプログラムコードと、
復号候補の前記第１のセットのための第１の仮想セル識別子（ＩＤ）を決定するためのプログラムコードと、
前記第１の仮想セルＩＤと復号候補の前記決定された第１のセットとに少なくとも部分的に基づいて、前記ｅＰＤＣＣＨを復号するためのプログラムコードと、を備える、コンピュータプログラム製品。
［Ｃ３１］
メモリと、
前記メモリに結合された少なくとも１つのプロセッサとを備える、ワイヤレス通信のための装置であって、前記少なくとも１つのプロセッサが、
ユーザ機器（ＵＥ）のための少なくとも１つの仮想セル識別子（ＩＤ）を構成することと、
前記ＵＥのための拡張された物理ダウンリンク制御チャネル（ｅＰＤＣＣＨ）のための第１の候補を決定することと、
前記第１の候補のための第１の仮想セルＩＤを決定することと、
前記第１の仮想セルＩＤに基づいて、前記ｅＰＤＣＣＨをスクランブルすることと、
前記第１の候補を使用して、前記ＵＥに、前記スクランブルされたｅＰＤＣＣＨを送信することと、を行うように構成された、装置。
［Ｃ３２］
前記少なくとも１つのプロセッサが、前記ｅＰＤＣＣＨを他のチャネルと周波数分割多重化するようにさらに構成された、Ｃ３１に記載の装置。
［Ｃ３３］
前記少なくとも１つのプロセッサが、前記少なくとも１つの仮想セルＩＤを、物理ダウンリンク共有チャネル（ＰＤＳＣＨ）の少なくとも１つの仮想セルＩＤと同じになるように構成するようにさらに構成された、Ｃ３１に記載の装置。
［Ｃ３４］
前記少なくとも１つのプロセッサが、前記少なくとも１つの仮想セルＩＤを、物理ダウンリンク共有チャネル（ＰＤＳＣＨ）の少なくとも１つの仮想セルＩＤとは別個に構成するようにさらに構成された、Ｃ３１に記載の装置。
［Ｃ３５］
前記少なくとも１つプロセッサが、前記少なくとも１つの構成された仮想セルＩＤを、前記ＵＥにシグナリングするようにさらに構成された、Ｃ３１に記載の装置。
［Ｃ３６］
前記少なくとも１つのプロセッサが、前記第１の仮想セルＩＤを、送信された基準信号に関連付けるようにさらに構成された、Ｃ３１に記載の装置。
［Ｃ３７］
前記少なくとも１つのプロセッサが、
前記拡張された物理ダウンリンク制御チャネル（ｅＰＤＣＣＨ）の第２の候補を決定することと、
前記少なくとも１つの仮想セルＩＤが複数の仮想セルＩＤであるとき、前記第２の候補のための前記少なくとも１つの構成された仮想セルＩＤから第２の仮想セルＩＤを決定することと、
前記第２の仮想セルＩＤに基づいて、前記拡張された物理ダウンリンク制御チャネル（ｅＰＤＣＣＨ）をスクランブルすることと、
前記第２の候補を使用して、前記スクランブルされたｅＰＤＣＣＨを送信することと、を行うようにさらに構成された、Ｃ３１に記載の装置。
［Ｃ３８］
前記少なくとも１つのプロセッサが、
前記第１の候補を局所化されたｅＰＤＣＣＨ送信に関連付けることと、
前記第２の候補を分散されたｅＰＤＣＣＨ送信に関連付けることと、を行うようにさらに構成された、Ｃ３７に記載の装置。
［Ｃ３９］
前記少なくとも１つのプロセッサが、
前記第１の候補を、第１の構成されたｅＰＤＣＣＨリソースセットに関連付け、前記第２の候補を、第２の構成されたｅＰＤＣＣＨリソースセットに関連付ける、ようにさらに構成された、Ｃ３７に記載の装置。
［Ｃ４０］
前記第１の候補が第１のセルから送信され、前記第２の候補が第２のセルから送信される、Ｃ３７に記載の装置。
［Ｃ４１］
前記少なくとも１つのプロセッサが、
複数のｅＰＤＣＣＨリソースセットを構成することと、
仮想セルＩＤを、各ｅＰＤＣＣＨリソースセットに関連付けることと、を行うようにさらに構成された、Ｃ３１に記載の装置。
［Ｃ４２］
前記スクランブルされた第１のｅＰＤＣＣＨが複数のセルから送信される、Ｃ３１に記載の装置。
［Ｃ４３］
前記少なくとも１つの構成された仮想セルＩＤのうちの少なくとも１つが、前記ＵＥに関連付けられたセルの物理セルＩＤとは異なる、Ｃ３１に記載の装置。
［Ｃ４４］
メモリと、
前記メモリに結合された少なくとも１つのプロセッサとを備える、ワイヤレス通信のための装置であって、前記少なくとも１つのプロセッサが、
拡張された物理ダウンリンク制御チャネル（ｅＰＤＣＣＨ）のための復号候補の第１のセットを決定すること、
復号候補の前記第１のセットのための第１の仮想セル識別子（ＩＤ）を決定することと、
前記第１の仮想セルＩＤと復号候補の前記決定された第１のセットとに少なくとも部分的に基づいて、前記ｅＰＤＣＣＨを復号することと、を行うように構成された、装置。
［Ｃ４５］
前記ｅＰＤＣＣＨが前記第１の仮想セルＩＤによってスクランブルされる、Ｃ４４に記載の装置。
［Ｃ４６］
前記第１の仮想セルＩＤが、物理ダウンリンク共有チャネル（ＰＤＳＣＨ）の少なくとも１つの仮想セルＩＤと同じである、Ｃ４４に記載の装置。
［Ｃ４７］
前記第１の仮想セルＩＤが、物理ダウンリンク共有チャネル（ＰＤＳＣＨ）の少なくとも１つの仮想セルＩＤとは異なる、Ｃ４４に記載の装置。
［Ｃ４８］
前記少なくとも１つのプロセッサが、
前記ｅＰＤＣＣＨの復号候補の第２のセットを決定することと、
復号候補の前記第２セットのための第２の仮想セルＩＤを決定することと、
前記第２の仮想セルＩＤと復号候補の前記決定された第２のセットとに少なくとも部分的に基づいて、前記ｅＰＤＣＣＨを復号することと、を行うようにさらに構成された、Ｃ４４に記載の装置。
［Ｃ４９］
復号候補の前記第１のセットの前記ｅＰＤＣＣＨが局所化されたｅＰＤＣＣＨ送信であり、候補の前記第２のセットの前記ｅＰＤＣＣＨが分散されたｅＰＤＣＣＨ送信である、Ｃ４８に記載の装置。
［Ｃ５０］
候補の前記第１のセットの前記ｅＰＤＣＣＨが第１のセルから受信され、候補の前記第２のセットの前記ｅＰＤＣＣＨが第２セルから受信される、Ｃ４８に記載の装置。
［Ｃ５１］
前記ｅＰＤＣＣＨが前記第２の仮想セルＩＤによってスクランブルされる、Ｃ４８に記載の装置。
［Ｃ５２］
前記少なくとも１つのプロセッサが、候補の前記第１のセットを、第１の構成されたｅＰＤＣＣＨリソースセットに関連付け、候補の前記第２のセットを、第２の構成されたｅＰＤＣＣＨリソースセットに関連付けるようにさらに構成された、Ｃ４８に記載の装置。
［Ｃ５３］
前記ｅＰＤＣＣＨが複数のセルから受信される、Ｃ４４に記載の装置。
［Ｃ５４］
前記少なくとも１つのプロセッサが、
複数のｅＰＤＣＣＨリソースセットの構成を受信することと、
仮想セルＩＤを、各ｅＰＤＣＣＨリソースセットに関連付けることと、を行うようにさらに構成された、Ｃ４４に記載の装置。
［Ｃ５５］
前記少なくとも１つのプロセッサが、
少なくとも１つの構成された仮想セルＩＤを受信することと、
前記受信された少なくとも１つの構成された仮想セルＩＤに少なくとも部分的に基づいて、前記第１の仮想セルＩＤを決定することと、を行うようにさらに構成された、Ｃ４４に記載の装置。
［Ｃ５６］
前記（１つまたは複数の）構成された仮想セルＩＤのうちの前記少なくとも１つが、ユーザ機器（ＵＥ）に関連付けられたセルの物理セルＩＤとは異なる、Ｃ５５に記載の装置。